【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
動画像を符号化する画像符号化装置であって、
対象画像内の対象ブロックと、その対象ブロックと幾何学変換した関係にある参照画像内の参照ブロックとの間の、動きベクトルおよび予測信号を複数の予測モードごとに算出し、各予測モードにおいては、前記対象ブロックを構成する頂点に位置する画素、またはその頂点近傍に位置する画素、またはその頂点近傍に位置する補間画素を頂点に相当する代表画素として選定し、それら代表画素の動きベクトルを算出するとともに、当該代表画素以外の画素の動きベクトルを、当該代表画素の動きベクトルを用いた補間により算出して前記予測信号を算出する幾何学変換動き補償予測部と、
対象画像内の対象ブロックごとに、前記幾何学変換動き補償予測部による複数の予測モードのいずれかを選択する予測方法決定部と、
前記予測方法決定部により選択された予測モードで算出された予測信号と、前記対象ブロックの画像信号との差分を算出し、予測誤差信号を生成する予測誤差信号生成部と、
前記予測方法決定部により選択された予測モードで算出された代表画素の動きベクトルの予測動きベクトルを、前記対象ブロック内外の動きベクトルを用いて算出し、その予測動きベクトルと前記選択された予測モードで算出された代表画素の動きベクトルとの差分を算出して代表画素の差分動きベクトルを生成する差分ベクトル生成部と、
前記予測方法決定部により選択された予測モードを特定するための予測方法情報、前記差分ベクトル生成部により生成された差分動きベクトル、および前記予測誤差信号生成部により生成された予測誤差信号を符号化する符号化部と、
を備え、
前記対象ブロックは四角形の領域であり、
前記幾何学変換動き補償予測部は、
前記対象ブロックの４つの代表画素の符号化される動きベクトルを算出する第１モードと、
前記対象ブロックの縦方向における２つの代表画素の符号化される動きベクトルを算出する第２モードと、
前記対象ブロックの横方向における２つの代表画素の符号化される動きベクトルを算出する第３モードと、
前記対象ブロックの３つの代表画素の符号化される動きベクトルを算出する第４モードとの４つの予測モードの内の少なくとも２つの予測モードを備えることを特徴とする画像符号化装置。
【請求項２】
前記幾何学変換動き補償予測部は、前記第４モードにおいて、四角形の前記対象ブロックにおける左上の頂点に相当する第１代表画素の動きベクトル、右上の頂点に相当する第２代表画素の動きベクトル、および左下の頂点に相当する第３代表画素の動きベクトルを算出することを特徴とする請求項１に記載の画像符号化装置。
【請求項３】
前記差分ベクトル生成部は、前記予測方法決定部により前記第１モードが選択された場合、四角形の前記対象ブロックにおける右上の頂点に相当する第２代表画素の動きベクトルの値から左上の頂点に相当する第１代表画素の動きベクトルの値を引いた差分を、左下の頂点に相当する第３代表画素の動きベクトルに加算することにより、右下の頂点に相当する第４代表画素の予測動きベクトルを算出することを特徴とする請求項１に記載の画像符号化装置。
【請求項４】
前記差分ベクトル生成部は、前記予測方法決定部により前記第１モードが選択された場合、四角形の前記対象ブロックにおける左下の頂点に相当する第３代表画素の動きベクトルの値から左上の頂点に相当する第１代表画素の動きベクトルの値を引いた差分を、右上の頂点に相当する第２代表画素の動きベクトルに加算することにより、右下の頂点に相当する第４代表画素の予測動きベクトルを算出することを特徴とする請求項１に記載の画像符号化装置。
【請求項５】
対象画像内の対象ブロックと、その対象ブロックと平行移動した関係にある参照画像内の参照ブロックとの間の、動きベクトルおよび予測信号を生成する平行移動動き補償予測部をさらに備え、
前記予測方法決定部は、対象画像内の対象ブロックごとに、前記平行移動動き補償予測部による予測方法と、前記幾何学変換動き補償予測部による予測方法とのいずれを採用するか決定すると共に、採用した予測方法における予測モードを選択し、
前記差分ベクトル生成部は、前記対象ブロックの動きベクトルの予測動きベクトルを、前記予測モード、及び前記対象ブロックに隣接する隣接ブロックの動き補償予測方法に応じて、当該隣接ブロック、あるいは当該隣接ブロックに含まれる画素の動きベクトルから生成すると共に、前記予測方法決定部により前記平行移動動き補償予測部による予測方法が採用された場合には、前記予測方法決定部により選択された予測モードで算出された前記対象ブロックの動きベクトルと、前記対象ブロックの動きベクトルの予測動きベクトルとの差分を算出して差分動きベクトルを生成する、
ことを特徴とする請求項１から４のいずれかに記載の画像符号化装置。
【請求項６】
動画像を符号化する画像符号化方法であって、
対象画像内の対象ブロックと、その対象ブロックと幾何学変換した関係にある参照画像内の参照ブロックとの間の、動きベクトルおよび予測信号を複数の予測モードごとに算出し、各予測モードにおいては、前記対象ブロックを構成する頂点に位置する画素、またはその頂点近傍に位置する画素、またはその頂点近傍に位置する補間画素を頂点に相当する代表画素として選定し、それら代表画素の動きベクトルを算出するとともに、当該代表画素以外の画素の動きベクトルを、当該代表画素の動きベクトルを用いた補間により算出して前記予測信号を算出する幾何学変換動き補償予測ステップと、
対象画像内の対象ブロックごとに、前記幾何学変換動き補償予測ステップによる複数の予測モードのいずれかを選択する予測方法決定ステップと、
前記予測方法決定ステップにより選択された予測モードで算出された予測信号と、前記対象ブロックの画像信号との差分を算出し、予測誤差信号を生成する予測誤差信号生成ステップと、
前記予測方法決定ステップにより選択された予測モードで算出された代表画素の動きベクトルの予測動きベクトルを、前記対象ブロック内外の動きベクトルを用いて算出し、その予測動きベクトルと前記選択された予測モードで算出された代表画素の動きベクトルとの差分を算出して代表画素の差分動きベクトルを生成する差分ベクトル生成ステップと、
前記予測方法決定ステップにより選択された予測モードを特定するための予測方法情報、前記差分ベクトル生成ステップにより生成された差分動きベクトル、および前記予測誤差信号生成ステップにより生成された予測誤差信号を符号化する符号化ステップと、
を備え、
前記対象ブロックは四角形の領域であり、
前記幾何学変換動き補償予測ステップは、
前記対象ブロックの４つの代表画素の符号化される動きベクトルを算出する第１モードと、
前記対象ブロックの縦方向における２つの代表画素の符号化される動きベクトルを算出する第２モードと、
前記対象ブロックの横方向における２つの代表画素の符号化される動きベクトルを算出する第３モードと、
前記対象ブロックの３つの代表画素の符号化される動きベクトルを算出する第４モードとの４つの予測モードの内の少なくとも２つの予測モードを備えることを特徴とする画像符号化方法。
【請求項７】
動画像を符号化する画像符号化プログラムであって、
対象画像内の対象ブロックと、その対象ブロックと幾何学変換した関係にある参照画像内の参照ブロックとの間の、動きベクトルおよび予測信号を複数の予測モードごとに算出し、各予測モードにおいては、前記対象ブロックを構成する頂点に位置する画素、またはその頂点近傍に位置する画素、またはその頂点近傍に位置する補間画素を頂点に相当する代表画素として選定し、それら代表画素の動きベクトルを算出するとともに、当該代表画素以外の画素の動きベクトルを、当該代表画素の動きベクトルを用いた補間により算出して前記予測信号を算出する幾何学変換動き補償予測処理と、
対象画像内の対象ブロックごとに、前記幾何学変換動き補償予測処理による複数の予測モードのいずれかを選択する予測方法決定処理と、
前記予測方法決定処理により選択された予測モードで算出された予測信号と、前記対象ブロックの画像信号との差分を算出し、予測誤差信号を生成する予測誤差信号生成処理と、
前記予測方法決定処理により選択された予測モードで算出された代表画素の動きベクトルの予測動きベクトルを、前記対象ブロック内外の動きベクトルを用いて算出し、その予測動きベクトルと前記選択された予測モードで算出された代表画素の動きベクトルとの差分を算出して代表画素の差分動きベクトルを生成する差分ベクトル生成処理と、
前記予測方法決定処理により選択された予測モードを特定するための予測方法情報、前記差分ベクトル生成処理により生成された差分動きベクトル、および前記予測誤差信号生成処理により生成された予測誤差信号を符号化する符号化処理と、
をコンピュータに実行させ、
前記対象ブロックは四角形の領域であり、
前記幾何学変換動き補償予測処理は、
前記対象ブロックの４つの代表画素の符号化される動きベクトルを算出する第１モードと、
前記対象ブロックの縦方向における２つの代表画素の符号化される動きベクトルを算出する第２モードと、
前記対象ブロックの横方向における２つの代表画素の符号化される動きベクトルを算出する第３モードと、
前記対象ブロックの３つの代表画素の符号化される動きベクトルを算出する第４モードとの４つの予測モードの内の少なくとも２つの予測モードを備えることを特徴とする画像符号化プログラム。
【手続補正２】
【補正対象書類名】明細書
【補正対象項目名】０００７
【補正方法】変更
【補正の内容】
【０００７】
本発明のある態様の画像符号化装置は、動画像を符号化する画像符号化装置であって、対象画像内の対象ブロックと、その対象ブロックと幾何学変換した関係にある参照画像内の参照ブロックとの間の、動きベクトルおよび予測信号を複数の予測モードごとに算出し、各予測モードにおいては、対象ブロックを構成する頂点に位置する画素、またはその頂点近傍に位置する画素、またはその頂点近傍に位置する補間画素を頂点に相当する代表画素として選定し、それら代表画素の動きベクトルを算出するとともに、当該代表画素以外の画素の動きベクトルを、当該代表画素の動きベクトルを用いた補間により算出して予測信号を算出するための幾何学変換動き補償予測部と、対象画像内の対象ブロックごとに、幾何学変換動き補償予測部による複数の予測モードのいずれかを選択するための予測方法決定部と、予測方法決定部により選択された予測モードで算出された予測信号と、対象ブロックの画像信号との差分を算出し、予測誤差信号を生成するための予測誤差信号生成部と、予測方法決定部により選択された予測モードで算出された代表画素の動きベクトルの予測動きベクトルを、対象ブロック内外の動きベクトルを用いて算出し、その予測動きベクトルと選択された予測モードで算出された代表画素の動きベクトルとの差分を算出して代表画素の差分動きベクトルを生成するための差分ベクトル生成部と、予測方法決定部により選択された予測モードを特定するための予測方法情報、差分ベクトル生成部により生成された差分動きベクトル、および予測誤差信号生成部により生成された予測誤差信号を符号化するための符号化部と、を備える。対象ブロックは四角形の領域である。幾何学変換動き補償予測部は、対象ブロックの４つの代表画素の符号化される動きベクトルを算出する第１モードと、対象ブロックの縦方向における２つの代表画素の符号化される動きベクトルを算出する第２モードと、対象ブロックの横方向における２つの代表画素の符号化される動きベクトルを算出する第３モードと、対象ブロックの３つの代表画素の符号化される動きベクトルを算出する第４モードとの４つの予測モードの内の少なくとも２つの予測モードを備える。
【手続補正３】
【補正対象書類名】明細書
【補正対象項目名】０００８
【補正方法】削除
【補正の内容】